(57)【要約】【課題】吸込気流と吹出気流のショートサーキットを防止することができる浴室暖房乾燥機を提供することを目的とする。【解決手段】循環部９の下面に設けられる吸込口１２および吹出口１３を有したグリル１１と、循環部９に吸込開口７と吹出開口８を仕切る循環部側仕切板１０と、この循環部側仕切板１０に沿う形状でグリル１１の吸込口１２と吹出口１３を仕切るグリル側仕切板１４とを設け、循環部側仕切板１０にグリル側仕切板１４を対向させて設けたことにより、吸込気流と吹出気流のショートサーキットを防止することができる浴室暖房乾燥機が得られる。【選択図】図１
2005003343.tif 000002
【特許請求の範囲】
【請求項１】
下方に吸込開口と吹出開口を設け、内部に循環用ユニットを設けた循環部と、この循環部の下面に設けられる吸込口および吹出口を有したグリルと、前記循環部に吸込開口と吹出開口を仕切る循環部側仕切板と、この循環部側仕切板に沿う形状で前記グリルの吸込口と吹出口を仕切るグリル側仕切板とを備え、前記循環部側仕切板にグリル側仕切板を対向させて設けた浴室暖房乾燥機。
【請求項２】
グリルを取り付けるグリル取付用ねじの設けられる近傍に、前記グリル取付用ねじが所定の締め付量となったときに、浴室の天井に当接して前記グリル取付用ねじの締め付けを規制する当接部を設けた請求項１記載の浴室暖房乾燥機。
【発明の詳細な説明】
【技術分野】
【０００１】
本発明は、浴室内の暖房および浴室内に吊り下げた洗濯物等を乾燥せしめる浴室暖房乾燥機に関する。
【背景技術】
【０００２】
従来、この種の浴室暖房乾燥機は、浴室暖房乾燥機本体にフロントカバー（グリルに相当）をビス（取付ねじに相当）により取り付けるものが知られている（例えば、特許文献１参照）。
【０００３】
以下、その浴室暖房乾燥機について図５および図６を参照しながら説明する。
【０００４】
図に示すように、熱交換器１０１および送風機１０２を収納した浴室暖房乾燥機本体１０３にビス固定部（雌ねじ孔）１０４を設け、吸い込み口１０５と吹き出し口１０６を設けたフロントカバー１０７にビス１０８を通す通孔１０９を設け、天井裏空間１１０に浴室暖房乾燥機本体１０３を配設し、天井パネル１１１に圧接されて取り付けられるフロントカバー１０７を、フロントカバー１０７に設けた通孔１０９にビス１０８を通し、ビス１０８を浴室暖房乾燥機本体１０３に設けたビス固定部１０４に締め付けフロントカバー１０７を取り付けている。
【０００５】
また、送風機１０２の送風路１１２の端部をフロントカバー１０７に設けた吹き出し口１０６の縁１１３に圧接していた。
【特許文献１】特開２００１−２０８４１３号公報（[００３０]〜[００４５]、図５、図１４）
【発明の開示】
【発明が解決しようとする課題】
【０００６】
このような従来の浴室暖房乾燥機では、ビス１０８の締め付け具合や天井パネル１１１を介してフロントカバー１０７を取り付ける場合には、送風路１１２と吹き出し口１０６を密接させることは困難で構造も複雑となり、温風漏れが生じ吸込気流と吹出気流のショートサーキットが生じるという課題があり、簡単な構造でショートサーキットを防止することが要求されている。
【０００７】
また、フロントカバー１０７を取り付けるビス１０８の締め付け量が規制されていないため、フロントカバー１０７を樹脂で成形したり薄肉で形成した場合には、ビス１０８の締め付け量が大きくなるとフロントカバー１０７が変形するという課題があり、フロントカバーの変形を防止することが要求されている。
【０００８】
本発明は、このような従来の課題を解決するものであり、吸込気流と吹出気流のショートサーキットを防止することができ、また、グリルの表面の変形を防止できる浴室暖房乾燥機を提供することを目的としている。
【課題を解決するための手段】
【０００９】
本発明は、循環部に吸込開口と吹出開口を仕切る循環部側仕切板と、グリルの吸込口と吹出口を仕切るグリル側仕切板を対向させて設けたものである。
【００１０】
この手段により、吸込気流と吹出気流のショートサーキットを防止できる浴室暖房乾燥機が得られる。
【００１１】
また、他の手段は、浴室の天井に当接してグリル取付用ねじの締め付けを規制する当接部を設けたものである。
【００１２】
この手段により、グリルの表面の変形を防止できる浴室暖房乾燥機が得られる。
【発明の効果】
【００１３】
本発明によれば、吸込気流と吹出気流のショートサーキットを防止できる効果のある浴室暖房乾燥機を提供できる。
【００１４】
また、グリルの表面の変形を防止できる浴室暖房乾燥機を提供できる。
【発明を実施するための最良の形態】
【００１５】
本発明の請求項１記載の発明は、下方に吸込開口と吹出開口を設け、内部に循環用ユニットを設けた循環部と、この循環部の下面に設けられる吸込口および吹出口を有したグリルと、前記循環部に吸込開口と吹出開口を仕切る循環部側仕切板と、この循環部側仕切板に沿う形状で、前記グリルの吸込口と吹出口を仕切るグリル側仕切板とを備え、前記循環部側仕切板にグリル側仕切板を対向させて設けたものであり、吸込気流と吹出気流のショートサーキットを防止でき、浴室暖房乾燥機を設置する浴室の天井の板厚が異なる場合においても循環部側仕切板に対し、グリル側仕切板を対応させることができる。
【００１６】
また、請求項２記載の発明は、グリルを取り付けるグリル取付用ねじの設けられる近傍に、前記グリル取付用ねじが所定の締め付け量となったときに、浴室の天井に当接して前記グリル取付用ねじの締め付けを規制する当接部を設けたものであり、グリル取付用ねじのねじ締め付け量が大き過ぎた場合に、グリルは凹み変形することとなるが、グリルが変形する前に当接部が浴室の天井面に当接してグリル取付用ねじの締め付けが規制されグリルの変形を防止することができる。
【００１７】
以下、本発明の実施の形態について図面を参照しながら説明する。
【００１８】
（実施の形態１）
図１〜図４に示すように、内部に循環用モータ１と循環用ファン２および循環用構成部材３と温水を通し、温水熱を利用して加熱する熱交換器４とを一体的に形成した循環用ユニット５を外装ケース６に組み込み下方に吸込開口７と吹出開口８を形成した循環部９を設け、循環部９には吸込開口７と吹出開口８を仕切る循環部側仕切板１０を設け、循環部９の下方に設けられるグリル１１には、循環部側仕切板１０に沿う形状でグリル１１の吸込口１２と吹出口１３を仕切るグリル側仕切板１４を設け、循環部側仕切板１０にグリル側仕切板１４が対向するように形成する。
【００１９】
また、グリル１１には、グリル取付用ねじ１５の設けられる近傍に、グリル取付用ねじ１５が所定の締め付け量となったときに、浴室の天井１６に当接してグリル取付用ねじ１５の締め付けを規制する当接部１７を設け構成する。
【００２０】
上記構成において、浴室暖房乾燥機を浴室に設置するときには、浴室の天井１６の上面側に循環部９を設置し、循環部９の下面側にグリル１１をグリル取付用ねじ１５で取り付ける。
【００２１】
このとき、グリル取付用ねじ１５を締め付けて行くと、グリル１２に設けた当接部１７が浴室の天井１６の下面に当接し、グリル取付用ねじ１５の締め付けが規制される。
【００２２】
次に、浴室の天井１６に設けた浴室暖房乾燥機を運転すると、グリル１１の吸込口１２より吸い込まれた空気はグリル側仕切板１４と循環部側仕切板１０により仕切られた吸込開口７より循環部９内に吸い込まれ、循環用ファン２より送られた空気は、温水より加熱されている熱交換器４により加熱され温風となって吹出開口８よりグリル１１の吹出口１３に送られ、吹出口１３より温風が浴室内に送風されて浴室の暖房または浴室内に吊り下げられた洗濯物の乾燥が行われる。
【００２３】
そして、グリル１１の吸込口１２から吸い込まれた吸込気流と、循環部９からグリル１１の吹出口１３に吹き出される吹出気流が循環部側仕切板１０とグリル側仕切板１４によりショートサーキットすることがなくなる。
【００２４】
なお、実施の形態１では、循環部９を浴室の天井１６の上面側に設けたのち、グリル１１を取り付けるようにしたが、循環部９にグリル１１を取り付けた状態で、浴室の天井１６に設置するようにしても良いことはいうまでもない。
【産業上の利用可能性】
【００２５】
仕切板を用いることにより吸込気流と吹出気流のショートサーキットが防止できるので、吸込気流と吹出気流を用いる熱交換形換気扇に適用することができる。
【図面の簡単な説明】
【００２６】
【図１】本発明の実施の形態１の浴室暖房乾燥機の取付状態を示す断面図
【図２】同浴室暖房乾燥機の循環ユニットの斜視図
【図３】同浴室暖房乾燥機の当接部の構成を示す断面図
【図４】同浴室暖房乾燥機のグリルの背面を示す斜視図
【図５】従来の浴室暖房乾燥機の設置前の断面図
【図６】同浴室暖房乾燥機の設置状態を示す断面図
【符号の説明】
【００２７】
５    循環用ユニット
７    吸込開口
８    吹出開口
９    循環部
１０  循環部側仕切板
１１  グリル
１２  吸込口
１３  吹出口
１４  グリル側仕切板
１５  グリル取付用ねじ
１６  浴室の天井
１７  当接部
【図１】
2005003343.tif 000003
【図２】
2005003343.tif 000004
【図３】
2005003343.tif 000005
【図４】
2005003343.tif 000006
【図５】
2005003343.tif 000007
【図６】
2005003343.tif 000008